(57)【要約】      （修正有）【課題】地理的理解を深めると共に、国や地域などの形状から地球の丸みを視覚的に感じることが可能な知育用立体パズルを提供する。【解決手段】地域や国の形状を模った立体的なパズルピース１０を形成する。各パズルピース１０を組み合せて載置する基盤２０を形成する。基盤２０の表面に地球の表面曲率を模した曲面２１を形成する。各パズルピース１０を組み合せた地域や国の形状が地球の一部に載置されているように構成する。基盤２０を平面円形状に形成する。パズルピース１０は日本地図２２の都道府県別に模って形状する。各パズルピース１０を基盤２０に着脱自在に固定する。【選択図】図１
0003178395.tif 000002
【実用新案登録請求の範囲】
【請求項１】
地域や国の形状を模った立体的なパズルピースと、各パズルピースを組み合せて載置することで地域や国の地図を形成する基盤とで構成される知育用立体パズルにおいて、各パズルピースを載置する基盤の表面に地球の表面曲率を模した曲面を形成し、各パズルピースを組み合せた地域や国の形状が地球の一部に載置されているように構成したことを特徴とする知育用立体パズル。
【請求項２】
前記基盤は平面円形状を成し、前記パズルピースは日本地図の都道府県別に模った形状を成し、各パズルピースを前記基盤に着脱自在に固定するように構成した請求項１記載の知育用立体パズル。
【請求項３】
前記基盤における前記曲面の表面曲率は、ジオイド高又はＧＲＳ８０楕円体に基づいた表面曲率で形成された請求項１又は２記載の知育用立体パズル。
【考案の詳細な説明】
【技術分野】
【０００１】
本考案は、知育教材や知育玩具として用いる知育用立体パズルに係り、立体的な地図を扱いながら地球の丸みを想像することができる知育用立体パズルに関するものである。
【背景技術】
【０００２】
従来、この種の立体パズルとして、特許文献１に記載された積層・立体型のジグソーパズル用教材が提案されている。このパズルによると、日本地図の輪郭形状の凹部が開設されたボードと、各県の形状として切断され、ボードの凹部内に埋込まれ、日本地図を完成させる複数の分割片とを備えたものである。
【０００３】
また、特許文献２に紙製の中空立体ジグソーパズルが提案されている。このジグソーパズルでは、任意の形状に変化させて様々な外形をもつ立体製品にすることが可能にしようとするものである。このパズルによると、軟らかい紙材質からなり、物体の外形に応じて分割した複数ユニットのパズルピースを有するものである。このユニットパズルピースは五つの連結辺を備え、各パズルピースの各連結辺には、相互に係合可能な凸部或いは係合溝が設けられ、全てのパズルピースを連結すると、物体表面と一致する中空構造が形成されるものである。例えば、パズルピースの軟らかさにより地球儀などに貼り付けることができるというものである。
【先行技術文献】
【特許文献】
【０００４】
【特許文献１】実用新案登録第２６０４５９９号公報
【特許文献２】実用新案登録第３１６６７０４号公報
【考案の概要】
【考案が解決しようとする課題】
【０００５】
ところが、特許文献１のように、日本地図の輪郭形状の凹部が開設されたボードに、複数の分割片を埋込むパズルでは、平面的な地図を理解することは可能でも、実際の日本の地形は、地球という球体の表面に載って湾曲した状態であることを理解させることは困難である。
【０００６】
一方、特許文献２に記載の紙製の中空立体ジグソーパズルでは、パズルピースの軟らかさにより地球儀などに貼り付けることはできるとしても、各ユニットパズルピースは、五つの連結辺を備え、各連結辺に凸部或いは係合溝が設けられたパズルピースであるから、ジグソーパズルとして使用することは可能でも、国や地域ごとの形状を触れながら理解させることはできない構成であった。
【０００７】
そこで本考案は、国や地域などの形状に模られたパズルピースを組み合せることで、地理的理解を深めると共に、国や地域などの形状から地球の丸みを視覚的に感じることが可能な知育用立体パズルの提供を目的とするものである。
【課題を解決するための手段】
【０００８】
上述の目的を達成すべく本考案の第１の手段は、地域や国の形状を模った立体的なパズルピース１０と、各パズルピース１０を組み合せて載置することで地域や国の地図を形成する基盤２０とで構成される知育用立体パズルにおいて、各パズルピース１０を載置する基盤２０の表面に地球の表面曲率を模した曲面２１を形成し、各パズルピース１０を組み合せた地域や国の形状が地球の一部に載置されているように構成したことにある。
【０００９】
第２の手段において、前記基盤２０は平面円形状を成し、前記パズルピース１０は日本地図３０の都道府県別に模った形状を成し、各パズルピース１０を前記基盤２０に着脱自在に固定するように構成したものである。
【００１０】
第３の手段において、前記基盤２０における前記曲面２１の表面曲率は、ジオイド高又はＧＲＳ８０楕円体に基づいた表面曲率で形成されたことにある。
【考案の効果】
【００１１】
本考案の請求項１の如く、基盤２０の表面に地球の表面曲率を模した曲面２１を形成し、各パズルピース１０を組み合せた地域や国の形状が地球の一部に載置されているように構成したことにより、地理的理解を深めると共に、国や地域などの形状から地球の丸みを視覚的に感じることが可能になる。
【００１２】
請求項２のように、基盤２０は平面円形状を成し、パズルピース１０は日本地図３０の都道府県別に模った形状を成し、各パズルピース１０を基盤２０に着脱自在に固定するように構成したことで、日本地図に基づいて地球の丸みを感じることができる。
【００１３】
しかも、基盤２０が円形状を成し、パズルピース１０を固定できるので、完成したパズルを鑑賞用に飾ることも可能である。
【００１４】
請求項３のごとく、基盤２０における前記曲面２１の表面曲率は、ジオイド高又はＧＲＳ８０楕円体に基づいた表面曲率で形成することで、地域や国の海面の平均位置に近い表面曲率や、地球に最もよく似た楕円体の表面曲率で形成することが可能になる。
【図面の簡単な説明】
【００１５】
【図１】本考案の一実施例を示す分解斜視図である。
【図２】本考案のパズルピースの一実施例を示す要部断面図である。
【図３】本考案のパズルピースの他の実施例を示す要部断面図である。
【図４】本考案のパズルピースの他の実施例を示す要部断面図である。
【図５】本考案のパズルピースの他の実施例を示す要部断面図である。
【考案を実施するための形態】
【００１６】
このように本考案によると、地理的理解を深めると共に、国や地域などの形状から地球の丸みを視覚的に感じることが可能になるなどといった目的を実現した。
【００１７】
以下、本考案の一実施例を説明する。本考案の主要構成は、地図等を模ったパズルピース１０と、表面に曲面２１を有する基盤２０にて構成される。
【００１８】
パズルピース１０は、地域や国の形状を模った立体的なピースである（図１参照）。図示例のパズルピース１０は日本地図３０の都道府県別に模った形状を成している。このパズルピース１０は、この他、世界地図の国別に模り、例えばヨーロッパを示す地図やユーラシア大陸を示す地図等を形成することも可能であるなど、任意の形状を模ることができる。
【００１９】
図２、図３に示すパズルピース１０は、内部に空洞１１を形成している。この場合、パズルピース１０の底部周囲面１２に僅かな傾斜を形成し、基盤２０の曲面２１に適合させている（図２参照）。このとき、曲面２１の変化等でパズルピース１０の表面が蜜に接しなくなる場合がある。その場合、底部周囲面１２の形状をパズルピース１０の表面１３の形状よりも小さくすることで、常に表面１３を密接させた状態に組み合せることができる（図３参照）。
【００２０】
図４、図５に示すパズルピース１０は、空洞１１を形成しないブロック状態である。この場合、パズルピース１０の底面１４全体に僅かな傾斜を形成する（図４参照）。曲面２１の変化等でパズルピース１０の表面が蜜に接しなくなる場合には、底面１４の面積を表面１３の面積よりも小さくすることで、常に表面１３を密接させた状態に組み合せることができる（図５参照）。
【００２１】
基盤２０は、各パズルピース１０を組み合せて載置する部材で、組み合せたパズルピース１０と一体になって地域や国の地図を構成する。そして、この基盤２０のパズルピース１０を載置する表面には、地球の表面曲率を模した曲面２１を形成する（図１参照）。このように、曲面２１にパズルピース１０を載置することで、各パズルピース１０を組み合せた地域や国の形状が地球の一部に載置されている如き構成になる。このとき、基盤２０の表面に地域や国の形状を示す地図２２が表示されている。この地図２２に合わせてパズルピース１０を載置することで、立体的な地図が形成されるものである。
【００２２】
図示の基盤２０は平面円形状を成しているが、図示例に限定されるものではない。そして、磁石や面ファスナー、粘着剤などを適宜使用することで、各パズルピース１０をこの基盤２０に着脱自在に固定するように構成することができる。このようにパズルピース１０を固定した基盤２０を、壁掛け等の装飾物として使用することも可能である。
【００２３】
基盤２０における曲面２１の表面曲率は、ジオイド高又はＧＲＳ８０楕円体に基づいた表面曲率で形成される。日本では、東京湾平均海面をジオイドと定め、標高の基準としており、標高はジオイドから測った高さになる。すなわち、地球表面の７割は海洋で覆われており、測地学では世界の海面の平均位置にもっとも近い重力の等ポテンシャル面をジオイドと定め、これを地球の形状としている。基盤２０の表面曲率を、この東京湾平均海面の高さに基づくジオイド高に基づいて設定することで、日本の地形に近い表面曲率が形成される。
【００２４】
一方、「GRS80楕円体」は、スケール的な回転楕円体である。つまり、地球の形状、重力の定数、角速度といった地球の物理学的な定数がGRS80楕円体に定義されており、地球に最もよく似た形を計算式で表現することができる。このGRS80楕円体に基づいて国や地域が位置する基盤２０の表面曲率を模すことで、地球に近い丸みの上に地図を配置することができる。
【００２５】
本考案の構成は図示例に限定されるものでなく、パズルピース１０、基盤２０等の形状や構成は、図示例に限定されるものではなく、各材質もプラスチック材、紙材、木材、金属材など、任意の選択及び組合せが可能であり、本考案の要旨を変更しない範囲で任意に変更することができる。
【符号の説明】
【００２６】
１０  パズルピース
１１  空洞
１２  底部周囲面
１３  表面
１４  底面
２０  基盤
２１  曲面
２２  地図
【図１】
0003178395.tif 000003
【図２】
0003178395.tif 000004
【図３】
0003178395.tif 000005
【図４】
0003178395.tif 000006
【図５】
0003178395.tif 000007